(57)【要約】【課題】この考案は、従来のオーバーオールの欠点を解消する為、作業性を改善し、用途を広げ、更にアウトドア思考を重視した、ファッション性のある多機能式オーバーオールズを開発・提供する事にある。【解決手段】オーバーオール本体の吊りバンド部の前面半分をゴム等の弾性部材を使用し、パンツ部の前面上部左右のポケット挿入口を内向きに傾斜させ左右何れの手でも入出可能なクロスアプローチポケットを縫着して設け、且つ、オーバーオール本体に着脱可能で収納物が毀れ落ちないワークツールバックと、サロペットポケットやウェストポーチやショルダーバッグ等複数の使用目的・用途に使用可能な３Ｗバッグを設けた多機能式オーバーオールズである。【選択図】　図７
0003097646.tif 000002
【実用新案登録請求の範囲】
【請求項１】
オーバーオール本体（Ｏ）と、ワークツールバッグ（５）と、３Ｗバッグ（６）との組み合せから成り、且つ、使用目的・用途に応じてそれぞれのバッグ（５）（６）をオーバーオール本体（Ｏ）から着脱し、ワークツールバッグ（５）及び、３Ｗバッグ（６）を単品で使用、又は、オーバーオール本体（Ｏ）に面ファスナー等の係止部材で接合して使用可能にした事を特徴とする多機能式オーバーオールズ。
【請求項２】
上部のエプロン（２）と下部のパンツ（３）を上下一体に接合して成るカパー金具（１ｂ）付吊りバンド（１）式ワーキングウェア等の衣服本体において、カパー金具（１ｂ）付吊りバンド（１）の左右前面部半分をゴム等の弾性部材（１ａ）を縫着して設け、且つ、上部エプロン（２）部の右胸部に釦（Ｂ）止上蓋（２ａ’）付ポケット（２ａ）と左胸部にネーム入りポケット（２ｂ）を縫着して設け、且つ、該パンツ（３）の上部前面中央に面ファスナー等の係止部材（２ｃ）と、やや左部にキーホルダーループ（２ｄ）を縫着して設け、且つ、該パンツ（３）の上部左右にポケット挿入口を内向きに傾斜させ左右何れの手でも入出可能なクロスアプローチポケット（３ａ）（３ａ’）を縫着して設け、且つ、該右側クロスアプローチポケット（３ａ’）の上部に縫着し、未使用時は右側クロスアプローチポケット（３ａ’）内部に収納可能な多種のワークツールを収納可能なふらしポケット（４）を設け、且つ、該パンツ（３）の左右膝部に膝当て布（３ｂ）（３ｂ’）を縫着して設け、且つ、該パンツ（３）の裏面上部左右のヒップ部にそれぞれのポケット（３ｃ）（３ｃ’）とパンツ裏面上部左ポケット（３ｃ）下部側面にハンマーループ（３ｄ）とパンツ裏面上部右ポケット（３ｃ’）の下部側面に縦長ポケット（３ｅ）を縫着して設けた事を特徴とする請求項第１記載の多機能式オーバーオールズ。
【請求項３】
釘やネジ等の多種のワークツールを分類して収納可能なワークツールバッグ（５）であって、上部に開閉型面ファスナー等の係止部材（５ｂ）を有する袋状のバッグ本体（５ａ）を設け、且つ、該バッグの表面に複数枚数段違いに重ね合せて縫着した複数のポケット（５ｃ）（５ｃ’）（５ｄ）（５ｄ’）を有し、且つ、該バッグ（５）の下部左右に流れハト目穴（５ｆ）（５ｆ’）付係止部（５ｅ）（５ｅ’）をそれぞれ設け、且つ、該バッグ（５）の裏面上部に逆Ｕ字状の持ち手（５ｇ）を設け、且つ、該バッグ上部の面ファスナー等の係止部材（５ｂ）とオーバーオールズ本体（Ｏ）の開閉型面ファスナー等の係止部材（２ｃ）を接合し、且つ、ふらし方式によりバッグを常時垂直に保持し、収納物を落下させずに使用可能にした事を特徴とする請求項第１及び請求項第２記載の多機能式オーバーオールズ。
【請求項４】
サロペットポケットやウェストポーチやショルダーバッグ等複数の目的・用途に使用可能な３Ｗバッグ（６）であって、矩形の袋状に形成されたバッグ本体（６ａ）の上部に開閉型面ファスナー等の係止部材（６ｂ）を縫着して設け、且つ、該バッグ本体（６ａ）の表面及び裏面部に財布入れ、ペン差し、携帯電話、たばこ、ティッシュ、メモ帳等多種多様な小物を収納可能な複数のポケット（６ｃ）（６ｇ）（６ｈ）（６ｉ）（６ｋ）（６ｌ）を設け、且つ、該バッグ本体（６ａ）の表面端部に、１個又は、複数のハンマーループ（６ｄ）を設け、且つ、該バッグ本体の裏面上部にウェストポーチ用ベルトループ（６ｊ）と、両側面上部にショルダーバッグ用ベルトループ（６ｆ）を複数箇所設け、且つ、該バッグ本体（６ａ）の裏面下部の左右両端にドット釦付タブ（６ｍ）（６ｍ’）を設け、且つ、該ショルダーバッグ用ベルトループ（６ｆ）及びウェストポーチ用ベルトループ（６ｊ）に着脱可能なワンタッチロック金具（７ｂ）（７ｃ）付長さ調整式ベルト（７ａ）を設け、且つ、該バッグ本体上部の開閉型面ファスナー等の係止部材（６ｂ）と、オーバーオールズ本体の面ファスナー等の係止部材（２ｃ）を接合して使用可能にした事を特徴とする請求項第１記載及び請求項第２記載の多機能式オーバーオールズ。
【考案の詳細な説明】
【０００１】
【考案の属する技術分野】
この考案は、多機能式オーバーオールズに関するものである。
【０００２】
【従来の技術】
従来のオーバーオールはフロントポケットが、身体の前後面部（身ごろ）に縫着され、着脱が不可能な為、作業の目的・内容によってはポケットが邪魔になったり、又、吊りバンド部が布製で伸縮しない為、動き辛く作業性の悪いものであった。
【０００３】
又、日用大工作業等の時にフロントポケット部に釘やネジ等のワークツールを分類して収納し作業をする時、前かがみになると収納した物が全部落ちてしまう等の問題が多々あった。
【０００４】
【考案が解決しようとする課題】
そこで、この考案は、従来のオーバーオールの欠点を解消する為、作業性を改善し、用途を広げ、更にアウトドア思考を重視した、ファッション性のある多機能式オーバーオールズを開発・提供する事にある。
【０００５】
【課題を解決するための手段】
そこで、この考案は、従来のオーバーオールの問題点を解決する為に、オーバーオール本体の吊りバンド部の前面半分をゴム等の弾性部材を使用し、パンツ部の前面上部左右にポケット挿入口を内向きに傾斜させ左右何れの手でも入出可能なクロスアプローチポケットを縫着して設け、且つ、オーバーオール本体に着脱可能で収納物が毀れ落ちないワークツールバックと、サロペットポケットやウェストポーチやショルダーバッグ等複数の使用目的・用途に使用可能な３Ｗバッグを設けたものである。
【０００６】
【考案の実施の形態】
そこで、この考案の一実施例を図１〜図６に従って詳述すると、オーバーオール本体（Ｏ）と、ワークツールバッグ（５）と、３Ｗバッグ（６）との組み合せから成り、且つ、使用目的・用途に応じてそれぞれのバッグ（５）（６）をオーバーオール本体（Ｏ）から着脱し、ワークツールバッグ（５）及び、３Ｗバッグ（６）を単品で使用、又は、オーバーオール本体（Ｏ）に面ファスナー等の係止部材で接合して使用可能にした事を特徴とする多機能式オーバーオールズから構成される。
【０００７】
又、上部のエプロン（２）と下部のパンツ（３）を上下一体に接合して成るカパー金具（１ｂ）付吊りバンド（１）式ワーキングウェア等の衣服本体において、カパー金具（１ｂ）付吊りバンド（１）の左右前面部半分をゴム等の弾性部材（１ａ）を縫着して設け、且つ、上部エプロン（２）部の右胸部に釦（Ｂ）止上蓋（２ａ’）付ポケット（２ａ）と左胸部にネーム入りポケット（２ｂ）を縫着して設け、且つ、該パンツ（３）の上部前面中央に面ファスナー等の係止部材（２ｃ）と、やや左部にキーホルダーループ（２ｄ）を縫着して設け、且つ、該パンツ（３）の上部左右にポケット挿入口を内向きに傾斜させ左右何れの手でも入出可能なクロスアプローチポケット（３ａ）（３ａ’）を縫着して設け、且つ、該右側クロスアプローチポケット（３ａ’）の上部に縫着し、未使用時は右側クロスアプローチポケット（３ａ’）内部に収納可能な多種のワークツールを収納可能なふらしポケット（４）を設け、且つ、該パンツ（３）の左右膝部に膝当て布（３ｂ）（３ｂ’）を縫着して設け、且つ、該パンツ（３）の裏面上部左右のヒップ部にそれぞれのポケット（３ｃ）（３ｃ’）とパンツ裏面上部左ポケット（３ｃ）下部側面にハンマーループ（３ｄ）とパンツ裏面上部右ポケット（３ｃ’）の下部側面に縦長ポケット（３ｅ）を縫着して設けた事を特徴とする請求項第１記載の多機能式オーバーオールズから構成される。
【０００８】
又、釘やネジ等の多種のワークツールを分類して収納可能なワークツールバッグ（５）であって、上部に開閉型面ファスナー等の係止部材（５ｂ）を有する袋状のバッグ本体（５ａ）を設け、且つ、該バッグの表面に複数枚数段違いに重ね合せて縫着した複数のポケット（５ｃ）（５ｃ’）（５ｄ）（５ｄ’）を有し、且つ、該バッグ（５）の下部左右に流れハト目穴（５ｆ）（５ｆ’）付係止部（５ｅ）（５ｅ’）をそれぞれ設け、且つ、該バッグ（５）の裏面上部に逆Ｕ字状の持ち手（５ｇ）を設け、且つ、該バッグ上部の面ファスナー等の係止部材（５ｂ）とオーバーオールズ本体（Ｏ）の開閉型面ファスナー等の係止部材（２ｃ）を接合し、且つ、ふらし方式によりバッグを常時垂直に保持し、収納物を落下させずに使用可能にした事を特徴とする請求項第１及び請求項第２記載の多機能式オーバーオールズから構成される。
【０００９】
又、サロペットポケットやウェストポーチやショルダーバッグ等複数の目的・用途に使用可能な３Ｗバッグ（６）であって、矩形の袋状に形成されたバッグ本体（６ａ）の上部に開閉型面ファスナー等の係止部材（６ｂ）を縫着して設け、且つ、該バッグ本体（６ａ）の表面及び裏面部に財布入れ、ペン差し、携帯電話、たばこ、ティッシュ、メモ帳等多種多様な小物を収納可能な複数のポケット（６ｃ）（６ｇ）（６ｈ）（６ｉ）（６ｋ）（６ｌ）を設け、且つ、該バッグ本体（６ａ）の表面端部に複数のハンマーループ（６ｄ）を設け、且つ、該バッグ本体の裏面上部にウェストポーチ用ベルトループ（６ｊ）と、両側面上部にショルダーバッグ用ベルトループ（６ｆ）を複数箇所設け、且つ、該バッグ本体（６ａ）の裏面下部の左右両端にドット釦付タブ（６ｍ）（６ｍ’）を設け、且つ、該ショルダーバッグ用ベルトループ（６ｆ）及びウェストポーチ用ベルトループ（６ｊ）に着脱可能なワンタッチロック金具（７ｂ）（７ｃ）付長さ調整式ベルト（７ａ）を設け、且つ、該バッグ本体上部の開閉型面ファスナー等の係止部材（６ｂ）と、オーバーオールズ本体の面ファスナー等の係止部材（２ｃ）を接合して使用可能にした事を特徴とする請求項第１記載及び請求項第２記載の多機能式オーバーオールズから構成される。
【００１０】
そして、この考案のオーバーオールズ本体の詳細について具体的に説明すると、まず、オーバーオールズ本体（Ｏ）は大きく分けて、吊りバンド（１）部と、エプロン（２）部と、パンツ（３）部で構成され、吊りバンド（１）部には負担を少なくし作業性を良くする為に左右の前面半分をゴム等の伸縮自在な弾性部材（１ａ）を使用し、前面のバンド固定部には頑丈なカパー金具（１ｂ）を使用している。
【００１１】
又、エプロン（２）部には、左右二箇所にネーム入りポケットと釦（Ｂ）止上蓋（２ａ’）付ポケット（２ａ）がカンヌキと留めにより縫着してある。
【００１２】
又、パンツ（３）部の上部前面中央に面ファスナー等の係止部材（２ｃ）を設け、この面ファスナー部に着脱自在なワークツールバッグ（５）及び３Ｗバッグ（６）を使用目的、用途に応じて着脱可能にし、且つ、該ワークツールバッグ（５）及び３Ｗバッグ（６）は常時垂直状態を保持出来る様に係止する事で、前かがみ姿勢で作業をしても収納物が毀れ落ちない様に成っている。更に、該ワークツールバック（５）及び３Ｗバッグ（６）はオーバーオールズ本体（Ｏ）に係止しない時は、それぞれバッグ単体としても使用可能な為、非常に便利であり、且つ、ファッション性も向上する。
【００１３】
又、面ファスナー等の係止部材（２ｃ）のやや左部にはキーホルダーを引っ掛ける為のキーホルダーループ（２ｄ）を縫着して設け、且つ、該パンツ（３）の上部左右にポケット挿入口を内向きに傾斜させ左右何れの手でも入出可能なクロスアプローチポケット（３ａ）（３ａ’）を縫着して設ける事で、片手が塞がっている時でも、もう一方の手で左右両方のポケットに挿入可能にしている。
【００１４】
又、更に右側クロスアプローチポケット（３ａ’）の上部には、未使用時は右側クロスアプローチポケット（３ａ’）内部に収納可能な多種のワークツールを収納可能なふらしポケット（４）を縫着して設け、且つ、該パンツ（３）の左右膝部に膝当て布（３ｂ）（３ｂ’）を縫着し、膝部が損傷しない様に強度アップを図っている。
【００１５】
そして、該パンツ（３）の裏面上部左右のヒップ部には、それぞれのポケット（３ｃ）（３ｃ’）とパンツ裏面上部左ポケット（３ｃ）下部側面にハンマーループ（３ｄ）とパンツ裏面上部右ポケット（３ｃ’）の下部側面に縦長ポケット（３ｅ）を縫着して設け、工具やスケール等が収納出来る様に成っている。更に、パンツ（３）の裏面お尻の中央部には、当て布（３ｆ）を縫着し地べたに座っても布地が破損しない様、強度アップを図っている。
【００１６】
次に、釘やネジ等の多種のワークツールを分類して収納可能なワークツールバッグ（５）について説明すると、上部に開閉型面ファスナー等の係止部材（５ｂ）を有する袋状のバッグ本体（５ａ）を設け、且つ、該バッグの表面に複数枚数段違いに重ね合せて縫着した複数のポケット（５ｃ）（５ｃ’）（５ｄ）（５ｄ’）を有し、且つ、該バッグ（５）の下部左右に流れハト目穴（５ｆ）（５ｆ’）付係止部（５ｅ）（５ｅ’）をそれぞれ設け、且つ、該バッグ（５）の裏面上部に逆Ｕ字状の持ち手（５ｇ）を設け、且つ、該バッグ上部の面ファスナー等の係止部材（５ｂ）とオーバーオールズ本体（Ｏ）の開閉型面ファスナー等の係止部材（２ｃ）を接合し、且つ、ふらし方式によりバッグを常時垂直に保持し、収納物を落下させずに使用可能にしたものである。又、オーバーオールズ本体（Ｏ）から係止部を取り外し、ワークツールバッグ（５）単体としても使用可能である。
【００１７】
又、サロペットポケットやウェストポーチやショルダーバッグ等複数の目的・用途に使用可能な３Ｗバッグ（６）について説明すると、矩形の袋状に形成されたバッグ本体（６ａ）の上部に開閉型面ファスナー等の係止部材（６ｂ）を縫着して設け、且つ、該バッグ本体（６ａ）の表面及び裏面部にペン差し、財布入れ、携帯電話、たばこ、ティッシュ、メモ帳等多種多様な小物が収納可能な複数のポケット（６ｃ）（６ｇ）（６ｈ）（６ｉ）（６ｋ）（６ｌ）を設け、且つ、該バッグ本体（６ａ）の表面端部に、１個又は、複数のハンマーループ（６ｄ）を設け、且つ、該バッグ本体の裏面上部にウェストポーチ用ベルトループ（６ｊ）と、両側面上部にショルダーバッグ用ベルトループ（６ｆ）を複数箇所設け、且つ、該バッグ本体（６ａ）の裏面下部の左右両端にドット釦付タブ（６ｍ）（６ｍ’）を設け、且つ、該ショルダーバッグ用ベルトループ（６ｆ）及びウェストポーチ用ベルトループ（６ｊ）に着脱可能なワンタッチロック金具（７ｂ）（７ｃ）付長さ調整式ベルト（７ａ）を設け、且つ、該バッグ本体上部の開閉型面ファスナー等の係止部材（６ｂ）と、オーバーオールズ本体（Ｏ）の面ファスナー等の係止部材（２ｃ）を接合して使用可能にしたものである。又、オーバーオールズ本体（Ｏ）から係止部を取り外し、３Ｗバッグ（６）単体としても使用可能である。
【００１８】
【考案の効果】
オーバーオールズ本体（Ｏ）の吊りバンド部（１）にゴム等の弾性部材（１ａ）を使用し、且つ、釘やネジ等の多種のワークツールを分類して収納可能なワークツールバッグ（５）及びサロペットポケットやウェストポーチやショルダーバッグ等複数の目的・用途に使用可能な３Ｗバッグ（６）とオーバーオールズ本体（Ｏ）の係止部（５ｂ）（６ｂ）・（２ｃ）同士を接合して使用可能にし、且つ、該オーバーオールズ本体（Ｏ）から取り外した時にはバッグ単体として使用可能にした事で、衣服の軽量化や多機能化が図れ、作業性・安全性・ファッション性がより改善される等、極めて有益なる効果を奏するものである。
【図面の簡単な説明】
【図１】この考案の一実施例を示し、（Ａ）はオーバーオールズ本体の正面図で、（Ｂ）は図１（Ａ）のａ−ａ部断面図である。
【図２】この考案の一実施例を示し、オーバーオールズ本体の背面図である。
【図３】この考案の一実施例を示し、図１（Ａ）のｂ部拡大詳細である。
【図４】この考案の一実施例を示し、（Ａ）はワークツールバッグの正面図で、（Ｂ）は背面図である。
【図５】この考案の一実施例を示し、（Ａ）は３Ｗバッグの正面斜視図で、（Ｂ）は３Ｗバッグ用ベルトの正面図である。
【図６】この考案の一実施例を示し、３Ｗバッグの背面斜視図である。
【図７】この考案の使用例を示し、オーバーオールズ本体にワークツールバッグを接合させた時の正面図である。
【図８】この考案の使用例を示し、オーバーオールズ本体に３Ｗバッグを接合させた時の正面図である。
【符号の説明】
１　吊りバンド
１ａ　ゴム等の弾性部材
１ｂ　カパー金具
２　エプロン
２ａ　ポケット
２ａ’　上蓋
２ｂ　ポケット
２ｃ　面ファスナー等の係止部材
２ｄ　キーホルダーループ
２ｅ　流れハト目穴
３　パンツ
３ａ　左側クロスアプローチポケット
３ａ’　右側クロスアプローチポケット
３ｂ　左側膝当て布
３ｂ’　右側膝当て布
３ｃ　左側ヒップ部のポケット
３ｃ’　右側ヒップ部のポケット
３ｄ　ハンマーループ
３ｅ　縦長ポケット
３ｆ　お尻中央部の当て布
４　ワークツール用ふらしポケット
４ａ　ワークツール用ふらしポケットの縫着部
４ｂ　ワークツール用ふらしポケットの中央ステッチ押え部
５　ワークツールバッグ
５ａ　バッグ本体
５ｂ　開閉型面ファスナー等の係止部材
５ｃ　ポケット
５ｃ’　ポケット
５ｄ　ポケット
５ｄ’　ポケット
５ｅ　左係止部
５ｅ’　右係止部
５ｆ　左係止部の流れハト目穴
５ｆ’　右係止部の流れハト目穴
５ｇ　持ち手
６　３Ｗバッグ
６ａ　バッグ本体
６ｂ　開閉型面ファスナー等の係止部材
６ｃ　ポケット
６ｄ　ハンマーループ
６ｅ　止め輪
６ｆ　ショルダーバッグ用ベルトループ
６ｇ　ポケット
６ｈ　ポケット
６ｉ　ポケット
６ｊ　ウェストポーチ用ベルトループ
６ｋ　ポケット
６ｌ　ポケット
６ｍ　左ドット釦付タブ
６ｍ’　右ドット釦付タブ
７　ベルト
７ａ　ベルト本体
７ｂ　ワンタッチロック金具
７ｃ　ワンタッチロック金具
Ｂ　釦
Ｏ　オーバーオールズ本体
【図１】
0003097646.tif 000003
【図２】
0003097646.tif 000004
【図３】
0003097646.tif 000005
【図４】
0003097646.tif 000006
【図５】
0003097646.tif 000007
【図６】
0003097646.tif 000008
【図７】
0003097646.tif 000009
【図８】
0003097646.tif 000010
【手続補正書】
【提出日】平成15年7月15日(2003.7.15)
【手続補正１】
【補正対象書類名】明細書
【補正対象項目名】実用新案登録請求の範囲
【補正方法】変更
【補正の内容】
【実用新案登録請求の範囲】
【請求項１】
オーバーオール本体（Ｏ）に、ワークツールバッグ（５）、あるいは、３Ｗバッグ（６）を、それぞれ面ファスナー等の係止部材で着脱可能に設け、これらバック（５）、（６）を、使用目的・用途に応じてオーバーオール本体（Ｏ）から着脱し、ワークツールバッグ（５）及び、３Ｗバッグ（６）を、それぞれ単品で使用可能にした事を特徴とする多機能式オーバーオールズ。
【請求項２】
オーバーオール本体（Ｏ）において、該オーバーオール本体（Ｏ）に、上部のエプロン（２）と、下部のパンツ（３）を上下一体に接合して成るカパー金具（１ｂ）付吊りバンド（１）を設け、該カパー金具（１ｂ）付吊りバンド（１）の左右前面部半分に、ゴム等の弾性部材（１ａ）を、上部エプロン（２）部の右胸部には、釦（Ｂ）止上蓋（２ａ’）付ポケット（２ａ）と左胸部にネーム入りポケット（２ｂ）を縫着して設けると共に、該パンツ（３）の上部前面中央に、面ファスナー等の係止部材（２ｃ）と、やや左部にキーホルダーループ（２ｄ）を縫着して設け、且つ、該パンツ（３）の上部左右にポケット挿入口を内向きに傾斜させて設け、左・右何れの手でも入出可能なクロスアプローチポケット（３ａ）（３ａ’）を縫着して設け、さらに、該右側クロスアプローチポケット（３ａ’）の上部に縫着し、未使用時は右側クロスアプローチポケット（３ａ’）内部に収納可能な多種のワークツールを収納可能なふらしポケット（４）を設けると共に、且つ、該パンツ（３）の左右膝部に膝当て布（３ｂ）（３ｂ’）を縫着して設け、且つ、該パンツ（３）の裏面上部左右のヒップ部にそれぞれのポケット（３ｃ）（３ｃ’）とパンツ裏面上部左ポケット（３ｃ）下部側面にハンマーループ（３ｄ）とパンツ裏面上部右ポケット（３ｃ’）の下部側面に縦長ポケット（３ｅ）を縫着して設けた事を特徴とする請求項第１記載の多機能式オーバーオールズ。
【請求項３】
ワークツールバッグ（５）が、釘やネジ等の多種のワークツールを分類して収納可能なバックであって、且つ、上部に開閉型面ファスナー等の係止部材（５ｂ）を有する袋状のバッグ本体（５ａ）からなり、且つ、該バッグの表面に複数枚数段違いに重ね合せて縫着した複数のポケット（５ｃ）（５ｃ’）（５ｄ）（５ｄ’）を有し、且つ、該バッグ（５）の下部左右に流れハト目穴（５ｆ）（５ｆ’）付係止部（５ｅ）（５ｅ’）をそれぞれ設け、且つ、該バッグ（５）の裏面上部に逆Ｕ字状の持ち手（５ｇ）を設け、且つ、該バッグ上部の面ファスナー等の係止部材（５ｂ）とオーバーオールズ本体（Ｏ）の開閉型面ファスナー等の係止部材（２ｃ）を接合し、且つ、ふらし方式によりバッグを常時垂直に保持する事を特徴とする請求項第１記載の多機能式オーバーオールズ。
【請求項４】
３Ｗバッグ（６）が、矩形の袋状に形成されたバッグ本体（６ａ）であって、該バッグ本体の上部に開閉型面ファスナー等の係止部材（６ｂ）を縫着して設け、オーバーオール本体（Ｏ）のサロペットポケットやウェストポーチやショルダーバッグに、前記係止部材（６ｂ）で着脱可能に設け、且つ、該バッグ本体（６ａ）の表面及び裏面部に財布入れ、ペン差し、携帯電話、たばこ、ティッシュ、メモ帳等多種多様な小物を収納可能な複数のポケット（６ｃ）（６ｇ）（６ｈ）（６ｉ）（６ｋ）（６ｌ）を設け、且つ、該バッグ本体（６ａ）の表面端部に、１個又は、複数のハンマーループ（６ｄ）を設け、且つ、該バッグ本体の裏面上部にウェストポーチ用ベルトループ（６ｊ）と、両側面上部にショルダーバッグ用ベルトループ（６ｆ）を複数箇所設け、且つ、該バッグ本体（６ａ）の裏面下部の左右両端にドット釦付タブ（６ｍ）（６ｍ’）を設け、且つ、該ショルダーバッグ用ベルトループ（６ｆ）及びウェストポーチ用ベルトループ（６ｊ）に着脱可能なワンタッチロック金具（７ｂ）（７ｃ）付長さ調整式ベルト（７ａ）を設け、且つ、該バッグ本体上部の開閉型面ファスナー等の係止部材（６ｂ）と、オーバーオールズ本体の面ファスナー等の係止部材（２ｃ）を接合して使用可能にした事を特徴とする請求項第１記載の多機能式オーバーオールズ。